(57)【要約】【課題】リレーを有する便座装置及び衛生洗浄装置において、常時通電されている場合でも自動的にそのコイルの通電を制御することにより、消費電力を低減させる。【解決手段】便座２と、便座を加熱する便座ヒータ５と、便座ヒータに電力を供給する主給電路９を常に閉成し、かつ主給電路が漏電したときに開成して該主給電路を遮断し、電圧を印加されて主給電路を閉じた後に前記電圧を低下させても閉状態を保持可能なリレー１１と主給電路を通じた漏電の有無に応じて主給電路を遮断及び閉成するようにリレー１１を駆動するリレー駆動部１２を有する漏電遮断器と、前記リレー駆動部を制御する制御手段１４とを備え、制御手段は、便座の保温時においては、リレー駆動部に印加されている電圧を低下させることにより、リレーのコイル部の消費電力を低減させることができる。【選択図】図２
2010227305.tif 000002
【特許請求の範囲】
【請求項１】
便座と、前記便座を加熱する便座ヒータ等のヒータと、前記ヒータに電力を供給する主給電路を常に閉成し、かつ前記主給電路が漏電したときに開成して該主給電路を遮断し、電圧を印加されて前記主給電路を閉じた後に前記電圧を低下させても前記閉状態を保持可能なリレーと前記主給電路を通じた漏電の有無に応じて前記主給電路を前記遮断及び前記閉成するように前記リレーを駆動するリレー駆動部を有する漏電遮断器と、前記リレー駆動部を制御する制御手段とを備え、前記制御手段は、前記便座の保温時においては、前記リレー駆動部に印加されている電圧を低下させる便座装置。
【請求項２】
制御手段は、人が洗浄装置を使用していない時には、リレー駆動部に印加されている電圧を低下させる請求項１に記載の便座装置。
【請求項３】
制御手段は、人が便座に着座されていない時には、リレー駆動部に印加されている電圧を低下させる請求項１または請求項２に記載の便座装置。
【請求項４】
制御手段は、人により洗浄装置等の操作部により装置が操作されていない時には、リレー駆動部に印加されている電圧を低下させる請求項１〜３のいずれか１項に記載の便座装置。
【請求項５】
制御手段は、便座の便蓋が閉状態の時にはリレー駆動部に印加されている電圧を低下させる請求項１〜４のいずれか１項に記載の便座装置。
【請求項６】
請求項１〜５のいずれか１項に記載の便座装置を便器に設けてなるトイレ装置。
【発明の詳細な説明】
【技術分野】
【０００１】
本発明は、暖房便座や温水洗浄便座等の便座装置とそれを備えたトイレ装置に関し、特に、装置の漏電時に作動する漏電遮断器のリレー駆動部の電力の省電力化を図ることに係るものである。
【背景技術】
【０００２】
従来、この種の暖房便座や温水洗浄便座等の便座装置は、衛生製品であるため水を使用する環境に設置されて使用され、電気製品でもあるために漏電への対策が必要となり、漏電遮断機能を有している（例えば、特許文献１参照）。図１３は前記特許文献１に記載された従来の温水洗浄便座装置を示すものである。
【０００３】
図１３において、温水洗浄便座装置は、電力を得るためトイレ室の壁の電源コンセント（図示せず）に着脱できる電源プラグ３０を有し、温水洗浄便座装置本体３１に漏電遮断回路３２が含まれている構成等が知られている。一般に、漏電遮断器または漏電遮断回路（以下、便宜上まとめて漏電遮断器と称する。）は、動作時に電気的な接続を確実に遮断するために、リレー３３に代表される機械的な手段が用いられる。
【０００４】
ところで、漏電遮断器３２は、漏電時における動作を確実なものとするため、定期的に動作試験を行い、正常な動作ができるか否かを確認する必要がある。リレー３３における代表的な異常としてはリレー接点の溶着が挙げられる。それゆえ、通常、漏電遮断器３２を備える温水洗浄便座装置本体３１には動作確認用テストボタン３４が設けられている。
【０００５】
温水洗浄便座装置の使用者が動作確認用テストボタン３４を押下すれば、漏電遮断器３２内では模擬的な漏電状態が発生するようになっているため、漏電遮断器３２のリレー３３におけるリレー接点３３ａが遮断される。通常は、正常の場合はリレー３３のコイル部３３ｂには電圧が印加されているため、常時、コイル部３３ｂには消費電力が発生している。また、このような温水洗浄便座装置では電源プラグに漏電遮断器が一体化された構成のものもある。
【特許文献１】特開２００８−０８２０４４号公報
【発明の開示】
【発明が解決しようとする課題】
【０００６】
しかしながら、従来の温水洗浄便座装置では人が周辺にいる、いない及び人が前記装置を操作する、しないに関係なくリレー３２のコイル部３３ｂに通常の電圧が印加されているため、コイル部３３ｂの消費電力が常時発生している問題があった。すなわち、この種の便座装置では、常時、漏電遮断器のリレー駆動部に定格電圧が通電され続けておって、しかも便座装置の実際に使用される時間も少ない状況下のため、結果的に無駄な大きな電力を使用していた。
【０００７】
前記従来の温水洗浄便座装置の問題点に鑑み、本発明が解決しようとする課題は、温水洗浄便座装置等の漏電遮断器の消費電力を低減させ、装置の省電力化を図ることができる便座装置を提供することにある。
【課題を解決するための手段】
【０００８】
前記課題を解決するために、本発明の便座装置は、便座と、前記便座を加熱する便座ヒータ等のヒータと、前記ヒータに電力を供給する主給電路を常に閉成し、かつ前記主給電路が漏電したときに開成して遮断し、電圧が印加されて前記主給電路を閉じた後に前記電
圧を低下させても前記閉状態を保持可能なリレーと前記主給電路を通じた漏電の有無に応じて前記主給電路を前記遮断及び前記閉成するように前記リレーを駆動するリレー駆動部を有する漏電遮断器と、前記リレー駆動部を制御する制御手段とを備え、前記制御手段は前記便座の保温時においては、前記リレー駆動部に印加されている電圧を低下させるものである。
【０００９】
これによって、リレー駆動部の消費電力を低減させることが可能になり、装置の省電力化を図れるものである。
【発明の効果】
【００１０】
以上のように、本発明によれば、制御手段により装置を使用していないときには、漏電遮断器のリレー駆動部の電圧を低下させるので、常時通電され続けておっても従来よりもリレー駆動部による消費電力を低減させ、大幅に装置の省電力化を図ることができる。
【発明を実施するための最良の形態】
【００１１】
第１の発明は、便座と、前記便座を加熱する便座ヒータ等のヒータと、前記ヒータに電力を供給する主給電路を常に閉成し、かつ前記主給電路が漏電したときに開成して遮断し、さらに電圧を印加されて前記主給電路を閉じた後に前記電圧を低下させても前記閉状態を保持可能なリレーと前記主給電路を通じた漏電の有無に応じて前記主給電路を前記遮断及び前記閉成するように前記リレーを開閉に駆動するリレー駆動部を有する漏電遮断器と、前記リレー駆動部を制御する制御手段とを備え、前記制御手段は前記便座の保温時においては、前記リレー駆動部に印加されている電圧を低下させるもので、これによりリレーの消費電力を低減させることができる。
【００１２】
すなわち、この種の便座装置では従来、常時、漏電遮断器のリレー駆動部に定格電圧が通電され続けておって、しかも便座装置の実際に使用される時間も少ない状況下のため、無駄な大きな電力を使用していたのが、便座の保温時においては、リレー駆動部に印加されている定格電圧を低下させられ、常時通電され続けておってもリレー駆動部の消費電力を低減させ、大幅に機器の省電力化を図ることができる。
【００１３】
また、人が装置周辺にいるか、いないか、もしくは、便座装置の使用状態等を知ることにより自由にコイルの通電率を制御することにより、最大限の省電力化を実現させることができる。
【００１４】
第２の発明は、特に、第１の発明において制御手段は、人が洗浄装置を使用していない時にリレー駆動部に印加されている電圧を低下させるもので、常時通電され続けておってもリレー駆動部の消費電力を低減させ、装置の省電力化を図ることができる。
【００１５】
第３の発明は、特に、第１の発明または第２の発明において制御手段は、人が便座に着座されていない時にはリレー駆動部に印加されている電圧を低下させるもので、常時通電され続けておってもリレー駆動部の消費電力を低減させ、装置の省電力化を図ることができる。
【００１６】
第４の発明は、特に、第１〜第３のいずれか１つの発明の制御手段は、人により洗浄装置等の操作部により装置が操作されていない時にはリレー駆動部に印加されている電圧を低下させるもので、常時通電され続けておってもリレー駆動部の消費電力を低減させ、装置の省電力化を図ることができる。
【００１７】
第５の発明は、特に、第１〜第４のいずれか１つの発明の制御手段は、便座の便蓋が閉状態の時にはリレー駆動部に印加されている電圧を低下させるもので、常時通電され続け
ておってもリレー駆動部の消費電力を低減させ、装置の省電力化を図ることができる。
【００１８】
第６の発明は、上記第１〜第５のいずれか１つの発明に記載の便座装置を便器に設けたトイレ装置で、これにより上記第１〜第５のいずれか１つの発明に記載した作用効果を有するトイレ装置にできる。
【００１９】
以下、本発明の実施の形態について、図面を参照しながら説明する。なお、この実施の形態によって本発明が限定されるものではない。
【００２０】
（実施の形態１）
図１は、本発明の実施の形態１における便座装置を搭載したトイレ装置の斜視図で、図２は同じく便座装置の制御ブロック図で、図３は同便座装置の漏電遮断器における電圧切替回路図で、図４は同電圧切替回路のタイムチャートである。
【００２１】
トイレ装置は、図１に示すように便器１とその後端部上に横に設け、便座２と便蓋３を上下方向へ倒立自在にそれぞれ設けた便座装置本体４で構成してある。そして、便座装置本体４には、図２に示す制御ブロックが内臓されているものである。
【００２２】
すなわち、便座２を加熱する便座ヒータ５、洗浄ノズル６から用便後の人体局部に向かって温水を噴出させて洗浄する洗浄水を加熱する温水ヒータ７、そして前記洗浄により濡れた人体局部を温風で乾燥させる乾燥ヒータ８は、電力を得るため、それぞれ主給電路９に接続するとともに、主給電路９を通じた漏電の時に主給電路９を遮断および前記漏電の無い正常時には主給電路９を常に閉じている漏電遮断器１０を介して交流電源（トイレ室の壁の電源コンセント）に接続している。
【００２３】
漏電遮断器１０は、便座ヒータ５、温水ヒータ７、乾燥ヒータ８等のヒータに電力を供給する主給電路９を常に閉成し、かつ主給電路９を通じた漏電が生じたときに開成して遮断し、さらに例えば、定格電圧Ｖ０を印加されて主給電路９を閉じた後に定格電圧Ｖ０をＶ１にやや低下させても主給電路９を閉じた状態を保持可能なリレー１１と主給電路９を通じた漏電の有無に応じて主給電路９を遮断及び閉成するようにリレー１１を開閉に駆動するリレー駆動部１２と主給電路９を通じて漏電の有無を検出する漏電検出手段１３で構成している。
【００２４】
制御手段１４は、マイクロコンピュータおよびその周辺回路から成り、これより以下に説明する動作、作用を実行するプログラムが内蔵されており、そして漏電検出手段１３が検出した主給電路９を通じた漏電の有無に応じてリレー１１を開閉するようにリレー駆動部１２を制御する。
【００２５】
特に本実施の形態で、制御手段１４は、リレー１１の接点１１ａを開閉するコイル１１ｂを含むリレー駆動部１２の消費電力を抑えるために、コイル１１ｂの保持機能を利用し、リレー１１が主給電路９を閉じた後であって、便座２の保温時において（便座装置本体４を使用者が使用していない時）、リレー駆動部１２に印加されている電圧、例えば定格電圧Ｖ０をＶ１にやや低下させ、便座装置本体４の省電力化を図ることを特徴とするものである。
【００２６】
なお、上記したコイル１１ｂの保持機能とは、リレー１１のコイル１１ｂを一度、定格電圧Ｖ０を印加させ励磁させると、その後に前記印加電圧をある程度低下させた電圧Ｖ１にしても、リレー１１の接点１１ａを閉状態に保持するもので、この特性を利用して、電源回路１５における電圧切替回路１６の出力を制御手段１４により切替えることで、リレー１１のコイル１１ｂを含むコイル駆動部１２の通電率を変えるものである。
【００２７】
すなわち、制御手段１４は、リレー１１のリレー駆動部１２の消費電力を抑えるために、使用者が便座装置本体４を使用していない、つまり、トイレ室に使用者がいなく、そして便座２に使用者が着座していないため節電を図って便座ヒータ５の加熱能力を下げている便座２の保温時において行うようにした理由は、図２に示すリレー駆動部１２の電源回路１５が、便座装置本体４の洗浄ノズル６のノズル駆動部、脱臭、乾燥ファンのファン駆動部等の電源回路とも共通にして、構成の簡素化と安価に製造できるようにするものであり、便座装置本体４を使用する時に電源回路１５の出力電圧を下げたままでは、洗浄ノズル６のノズル駆動部の作動に支障をきたすことは避けなければならない。
【００２８】
そして、制御手段１４は、使用者が便座２から立ち上がり着座検知手段２５からの着座信号なしの信号、または、使用者がトイレ室からでて、壁に設けた人体検知手段２４（図１、図２に示す）からの人体検知信号なしの信号を取り込むと、便座装置本体４を使用者が使用していないことを判断し、便座ヒータ５を制御して加熱能力下げ、便座２を保温状態にするとともに、この時にリレー駆動部１２に印加されている電圧、例えば定格電圧Ｖ０をＶ１に低下させるため、図３に示す電圧切替回路１６を制御するものである。
【００２９】
すなわち、使用者がトイレ室に入ると、人体検知手段２４が検知した人体検知信号が制御手段１４に入力される。続いて、使用者が便座２に着座すると着座検知手段２５が着座を検知して着座信号も制御手段１４に入力される。
【００３０】
そして、使用者による操作部２６の操作により、用便後の人体局部の洗浄と乾燥を行うのに備えて制御手段１４は洗浄ノズル６のノズル駆動部、脱臭、乾燥ファンのファン駆動部等が作動するのに支障のないように電圧切替回路１６により電源回路１５に含まれるＳＷ電源１８が、定格電圧Ｖ０より低い電圧Ｖ１が印加されていたリレー駆動部１２に定格電圧Ｖ０が印加されるように制御する。
【００３１】
図４に示す電圧切替回路１６の制御のタイムチャートと合わせて図３に示す電圧切替回路１６の動作を説明すると、リレー１１のコイル１１ｂに定格電圧Ｖ０の１００％通電する場合は、予めトランジスタ１７がオンの時でＳＷ電源１８のＤＣ電圧１９を１００％出力させるように直列結線の抵抗２０、２１、２２で設定されている。
【００３２】
そして、人体検知手段２４と着座検知手段２５の両検知信号を取り込んだ制御手段１４は、その電圧切替ポート２３から高信号を出力するとトランジスタ１７がオンして抵抗２１が短絡され、ＳＷ電源１８のＤＣ電圧１９の１００％の定格電圧Ｖ０が出力され、一方、リレー出力ポート２７からの信号でトランジスタ２８がオンしてリレー駆動部１２、コイル１１ｂには定格電圧Ｖ０が印加される。
【００３３】
使用者が用便後の人体局部の洗浄と乾燥が終わり、便座２から立ち上がると着座検知手段２４からの着座信号の検知が無くなり、また、使用者がトイレ室から出ると人体検知手段２４からの人体信号の検知が無くなり（便座ヒータ５は制御手段１４により制御されて便座２が保温状態に入る）、この両信号を取り込んだ制御手段１４は、電圧切替回路１６を制御して電源回路１５に含まれるＳＷ電源１８が、定格電圧Ｖ０より低い電圧Ｖ１をリレー駆動部１２、コイル１１ｂに印加するようにする。
【００３４】
すなわち、便座２は保温が必要な状態にあり、従って、リレー１１をオフすることはできないので、着座信号と人体信号の検知無しを受けた制御手段１４は、省電力モード（便座２は保温状態）にするため、電圧切替ポート２３から低信号を出力する。そして、電圧切替のスイッチであるトランジスタ１７がオフすることにより、予め抵抗２０、２１、２２とで設定され、ＳＷ電源１８の出力電圧１９が、ある程度低下した電圧Ｖ１（定格電圧
Ｖ０の任意の％の電圧）に切替えられリレー１１の通電率が変わり、低減された分、電力を削減することができる。
【００３５】
但し、前記した通り、この構成ではリレー１１のコイル１１ｂの接点保持電圧ＶＨ以下にすることはできないので、Ｖ１＞ＶＨに設定する必要がある。
【００３６】
また、制御手段１４は、使用者がトイレ室に入り、人体検知手段２４と着座検知手段２５の両検知信号を再び取り込むと、電圧切替ポート２３を高信号の出力にして、定格電圧Ｖ０より低い電圧Ｖ１をリレー駆動部１２、コイル１１ｂに印加している省電力モード（便座の保温状態）の状態から、洗浄モードの状態に対応して、電圧切替回路１６により通常の定格電圧Ｖ０に戻すことができる。
【００３７】
なお、本実施の形態における制御手段１４は、便座装置本体４のもつ、人体局部を温水で洗う洗浄機能、洗浄により濡れた人体局部を温風で乾燥させる乾燥機能、用便後の発生する臭いを脱臭する脱臭機能および着座しないとき加熱温度下げる便座２の保温機能等の全体の制御を行うプログラムも格納してある。
【００３８】
（実施の形態２）
図５は、本発明の実施の形態２における便座装置の漏電遮断器における電圧切替回路図で、図６は同電圧切替回路の制御タイムチャートである。本実施の形態では、図１、図２に示す実施の形態１の便座装置本体の構成は同じで、制御手段１４の構成のみが、実施の形態１の発明と異なるので、斯かる部分を中心に説明する。
【００３９】
すなわち、制御手段１４は、基本的に実施の形態１の発明と動作、作用は同じであるが、特に人体検知手段２４からの人体検知信号の有無を取り込んで電圧切替回路１６を制御するものであり、人が洗浄装置を使用していない時である人体検知手段２４からの人体検知無しの信号を受けると、リレー駆動部１２に印加されている電圧を低下させる構成である。また、電圧切替回路１６は、実施の形態１の発明と同じなので、同一符号を付して詳細な説明を省略する。
【００４０】
続いて、図５に示す電圧切替回路１６及び図６に示す制御タイムチャートの動作は、基本的に実施の形態１の発明と同じなので、異なる処を中心に説明する。
【００４１】
使用者は、用便のためトイレ室に入ると、人体検知手段２４が人体検知の信号を制御手段１に出力し、これを取り込んだ制御手段１４はトイレ室に人がいることを判断する。そして、制御手段１４は人体検知有りのオン信号が入力されると、電圧切替ポート２３を高信号に出力し、トランジスタ１７がオンすることにより、ＳＷ電源１８のＤＣ電圧１９の１００％の定格電圧Ｖ０が出力され、一方、リレー出力ポート２７からの信号でトランジスタ２８がオンしてリレー駆動部１２、コイル１１ｂには定格電圧Ｖ０が印加される。
【００４２】
続いて、トイレ室に人がいなくなると、人体検知無しの信号が人体検知手段２４より制御手段１４の人体検知無しのオフ信号が入力される。そして、制御手段１４は電圧切替ポート２３から低信号を出力してトランジスタ１７がオフすることにより抵抗２１、２２、２３で設定されると、ＳＷ電源１８のＤＣ電圧の出力電圧１９がある程度、低下された電圧Ｖ１（リレー１１の定格電圧Ｖ０の任意の％の電圧）に切り替えられリレーの通電率が変わり、低減された分だけ電力を削減することができる。
【００４３】
このように制御手段１４は、人体検知手段２４がトイレ室で使用者を検知できなくなり、洗浄装置本体４を使用していない時にはリレー駆動部１２に印加されている電圧を低下させるもので、常時通電され続けておってもリレー駆動部１２の消費電力を低減させ、装
置の省電力化を図ることができる。
【００４４】
（実施の形態３）
図７は、本発明の実施の形態３における便座装置の漏電遮断器における電圧切替回路図で、図８は同電圧切替回路の制御タイムチャートである。本実施の形態では、図１、図２に示す実施の形態１の便座装置本体の構成は同じで、制御手段１４の構成のみが、実施の形態１の発明と異なるので、斯かる部分を中心に説明する。
【００４５】
すなわち、制御手段１４は、基本的に実施の形態１の発明と動作、作用は同じであるが、特に着座検知手段２５から使用者が便座２に着座及び着座していない検知信号をそれぞれ取り込んで電圧切替回路１６を制御するものであり、使用者が便座２に着座していない信号を受けると、リレー駆動部１２に印加されている電圧を低下させる構成である。また、電圧切替回路１６は、実施の形態１の発明と同じなので、同一符号を付して詳細な説明を省略する。
【００４６】
続いて、図７に示す電圧切替回路１６及び図８に示す制御タイムチャートの動作は、基本的に実施の形態１の発明と同じなので、異なる処を中心に説明する。
【００４７】
使用者は、用便のためトイレ室に入ると、人体検知手段２４が人体検知の信号を制御手段１４に出力し、これを取り込んだ制御手段１４はトイレ室に人がいることを判断する。そして、使用者が便座２に着座すると着座検知手段２５が着座検知の信号を出力し、この着座検知信号を取り込んだ制御手段１４は着座検知入力にオン信号が入力される。
【００４８】
そして、制御手段１４は電圧切替ポート２３を高信号に出力し、トランジスタ１７がオンすることにより、ＳＷ電源１８のＤＣ電圧１９の１００％の定格電圧Ｖ０が出力され、一方、リレー出力ポート２７からの信号でトランジスタ２８がオンしてリレー駆動部１２、コイル１１ｂには定格電圧Ｖ０が印加される。
【００４９】
続いて、用便が済んで洗浄ノズル６による人体局部の洗浄と乾燥ファンによる乾燥が終わった使用者が便座２から立ち上がると、着座検知手段２５からの着座検知無しの信号を取り込んだ制御手段１４は、人体検知無しのオフ信号が入力される。そして、制御手段１４は電圧切替ポート２３から低信号を出力してトランジスタ１７がオフすることにより抵抗２１、２２、２３で設定されると、ＳＷ電源１８のＤＣ電圧の出力電圧１９がある程度、低下された電圧Ｖ１（リレー１１の定格電圧Ｖ０の任意の％の電圧）に切り替えられリレーの通電率が変わり、低減された分だけ電力を削減することができる。
【００５０】
このように制御手段１４は、着座検知手段２４が便座２で使用者を検知できなくなると、リレー駆動部１２に印加されている電圧を低下させるもので、常時通電され続けておってもリレー駆動部１２の消費電力を低減させ、装置の省電力化を図ることができる。つまり、着座検知手段２５による着座検知の有無の状態によって制御手段１４の電圧切替ポート２３の出力を切り換えることで電圧切替回路１６によって省電力化を行うことができる。
【００５１】
（実施の形態４）
図９は、本発明の実施の形態４における便座装置の漏電遮断器における電圧切替回路図で、図１０は同電圧切替回路の制御タイムチャートである。本実施の形態では、図１、図２に示す実施の形態１の便座装置本体の構成は同じで、制御手段１４の構成のみが、実施の形態１の発明と異なるので、斯かる部分を中心に説明する。
【００５２】
すなわち、制御手段１４は、基本的に実施の形態１の発明と動作、作用は同じであるが
、特に人によって操作部２６が操作されたかどうかを判断する機能を有しておって、使用者により洗浄装置本体４の操作部２６（図１に示す遠隔操作リモコンに相当する）により装置の作動操作がされていない時（使用者により洗浄装置本体４の操作部２６が操作されるまで）は、そのリレー駆動部１２に印加されている電圧を定格電圧Ｖ０より低下させた電圧Ｖ１にする構成である。
【００５３】
逆に言えば、使用者が洗浄装置本体４を使用するため、その操作部２６を操作した信号を取り込んだ制御手段１４は、それまで低下した電圧Ｖ１の印加されていたリレー駆動部１２に定格電圧Ｖ０を印加するものである。
【００５４】
また、電圧切替回路１６は、実施の形態１の発明と同じなので、同一符号を付して詳細な説明を省略する。
【００５５】
続いて、図９に示す電圧切替回路１６及び図１０に示す制御タイムチャートの動作は、基本的に実施の形態１の発明と同じなので、異なる処を中心に説明する。
【００５６】
使用者は、トイレ室に入り便座２に着座して用便を済ませた後に、洗浄ノズル６による人体局部の洗浄と乾燥ファンによる乾燥を行うために操作部２６を操作すると、この操作信号を取り込んだ制御手段１４は、洗浄ノズル６による人体局部の洗浄と乾燥ファンによる乾燥を行うように制御するのと合わせて、電圧切替回路１６を制御してそれまで省電力化のため低下した電圧Ｖ１の印加されていたリレー駆動部１２に定格電圧Ｖ０を印加する。
【００５７】
すなわち、制御手段１４は、人によって操作部２６が操作されると、その信号を取り込んで人により操作されたと判断すると、電圧切替ポート２３から高信号の出力をさせてトランジスタ１７をオンさせ、ＳＷ電源１８のＤＣ電圧の出力１９を１００％の定格電圧Ｖ０を出力させる。一方、リレー出力ポート２７からの信号でトランジスタ２８がオンしてリレー駆動部１２、コイル１１ｂには定格電圧Ｖ０が印加される。
【００５８】
続いて、制御手段１４は、使用者が操作部２６を操作して作動させた便座装置本体４の洗浄機能、乾燥機能、脱臭機能等の全ての動作が終了すると、その終了信号を取り込んで、次に使用者によって操作部２６が操作されるまでは、電圧切替ポート２３から低信号を出力させて、トランジスタ１７をオフさせＳＷ電源１８のＤＣ電圧の出力１９を定格電圧Ｖ０より低下させた電圧Ｖ１にしてリレー１１のコイル１１ｂの通電率を変え、省電力化を行うことができる。
【００５９】
このように、制御手段１４は、人により洗浄装置等の操作部により装置が操作されていない時にはリレー駆動部１２に印加されている電圧を低下させるもので、常時通電され続けておってもリレー駆動部の消費電力を低減させ、装置の省電力化を図ることができる。
【００６０】
（実施の形態５）
図１１は、本発明の実施の形態５における便座装置の漏電遮断器における電圧切替回路図で、図１２は同装置の漏電遮断器における電圧切替回路の制御タイムチャートである。本実施の形態では、図１、図２に示す実施の形態１の便座装置本体の構成は同じで、制御手段１４の構成のみが、実施の形態１の発明と異なるので、斯かる部分を中心に説明する。
【００６１】
すなわち、制御手段１４は、基本的に実施の形態１の発明と動作、作用は同じであるが、特に便座２の便蓋３が閉状態の時にはリレー駆動部１２に印加されている電圧を定格電圧Ｖ０より低下させた電圧Ｖ１にする構成である。
【００６２】
すなわち、制御手段１４は、トイレ室に入った人体を検知した人体検知手段２４からの人体検知信号を取り込むと便蓋３を開閉駆動部で開き、トイレ室から人が退出すると人体検知手段２４からの人体検知の信号無を取り込んで便蓋３を開閉駆動部で閉じさせる自動開閉制御する構成である。
【００６３】
便蓋開閉検知手段２９は、便蓋３の開閉駆動部に連動して便蓋３の開閉を検知するもので、その開閉信号を制御手段１４に出力するものである。従って、制御手段１４は、便蓋開閉検知手段２９の便蓋開閉信号を取り込んで電圧切替回路１６を制御して、便蓋閉状態の時にはリレー駆動部１２に印加されている電圧を定格電圧Ｖ０より低下させた電圧Ｖ１にするとともに、便蓋開状態の時はこれまでリレー駆動部１２に印加されている電圧Ｖ１を定格電圧Ｖ０にする構成である。
【００６４】
また、電圧切替回路１６は、実施の形態１の発明と同じなので、同一符号を付して詳細な説明を省略する。
【００６５】
続いて、図１１に示す電圧切替回路１６及び図１２に示す制御タイムチャートの動作は、基本的に実施の形態１の発明と同じなので、異なる処を中心に説明する。
【００６６】
使用者は、用便のためトイレ室に入ると、人体検知手段２４が人体検知有りの信号を制御手段１４に出力し、これを取り込んだ制御手段１４はトイレ室に人がいることを判断する。そして、この人体検知有りの信号を取り込んだ制御手段１４は、開閉駆動部を制御して便蓋３を開成する。この開閉駆動部に連動した便蓋開閉検知手段２９は便蓋開信号を制御手段１４に出力し、この信号を取り込んだ制御手段１４は電圧切替回路１６を制御する。
【００６７】
すなわち、制御手段１４は電圧切替ポート２３を高信号に出力し、トランジスタ１７がオンすることにより、ＳＷ電源１８のＤＣ電圧１９の１００％の定格電圧Ｖ０が出力され、一方、リレー出力ポート２７からの信号でトランジスタ２８がオンしてリレー駆動部１２、コイル１１ｂには定格電圧Ｖ０が印加される。
【００６８】
続いて、用便が済んで洗浄ノズル６による人体局部の洗浄と乾燥ファンによる乾燥が終わった使用者が便座２から立ち上がり、トイレ室から退出すると、人体検知手段２４からの人体検知無しの信号が制御手段１４に入り、この信号を取り込んだ制御手段１４は、便蓋３の開閉駆動部を制御して便蓋３を閉じる。
【００６９】
この便蓋３の閉状態を検知した便蓋開閉検知手段２９から便蓋閉の信号を取り込んだ制御手段１４は、電圧切替ポート２３から低信号を出力してトランジスタ１７がオフすることにより抵抗２１、２２、２３で設定されると、ＳＷ電源１８のＤＣ電圧の出力電圧１９がある程度、低下された電圧Ｖ１（リレー１１の定格電圧Ｖ０の任意の％の電圧）に切り替えられリレーの通電率が変わり、低減された分だけ電力を削減することができる。
【００７０】
このように制御手段１４は、便蓋３が閉状態の時にはリレー駆動部１２に印加されている電圧を低下させるもので、常時通電され続けておってもリレー駆動部の消費電力を低減させ、装置の省電力化を図ることができる。
【００７１】
なお、本実施の形態では、便蓋３の自動開閉による開および閉の信号を制御手段１４で取り込んでいるが、便蓋３の手動による開閉を便蓋開閉検知手段２９で検知して制御手段１４に出力してもよいものである。
【産業上の利用可能性】
【００７２】
本発明にかかる便座装置は、制御手段により装置を使用していないときには、漏電遮断器のリレー駆動部の電圧を低下させ、常時通電され続けておっても従来よりもリレー駆動部による消費電力を低減させられ、漏電遮断器を使用した機器にも適用できるものである。
【図面の簡単な説明】
【００７３】
【図１】本発明の実施の形態１における便座装置を搭載したトイレ装置の斜視図
【図２】同便座装置の制御ブロック図
【図３】同便座装置の漏電遮断器における電圧切替回路図
【図４】同電圧切替回路の制御タイムチャート
【図５】同実施の形態２における便座装置の漏電遮断器の電圧切替回路図
【図６】同装置の電圧切替回路の制御タイムチャート
【図７】同実施の形態３における便座装置の漏電遮断器の電圧切替回路図
【図８】同装置の電圧切替回路の制御タイムチャート
【図９】同実施の形態４における便座装置の漏電遮断器の電圧切替回路図
【図１０】同装置の電圧切替回路の制御タイムチャート
【図１１】同実施の形態５における便座装置の漏電遮断器の電圧切替回路図
【図１２】同装置の電圧切替回路の制御タイムチャート
【図１３】従来の便座装置の制御ブロック図
【符号の説明】
【００７４】
２  便座
３  便蓋
５  便座ヒータ（ヒータ）
９  主給電路
１０  漏電遮断器
１１  リレー
１２  リレー駆動部
１４  制御手段
２４  人体検知手段
２５  着座検知手段
２６  操作部
２９  便蓋開閉検知手段
【図２】
2010227305.tif 000003
【図１３】
2010227305.tif 000004
【図１】
2010227305.tif 000005
【図３】
2010227305.tif 000006
【図４】
2010227305.tif 000007
【図５】
2010227305.tif 000008
【図６】
2010227305.tif 000009
【図７】
2010227305.tif 000010
【図８】
2010227305.tif 000011
【図９】
2010227305.tif 000012
【図１０】
2010227305.tif 000013
【図１１】
2010227305.tif 000014
【図１２】
2010227305.tif 000015